(57)【要約】【課題】筆記時にボール後面への十分なインキ供給を行うことができ、筆記時、筆跡のカスレや途切れが生じることがなく、潤沢なインキ流出が可能なパイプ式ボールペンチップの製造方法を提供する。【解決手段】金属製筒体２の先端近傍の内周面にボール受け座用の複数の内方突出部２３を形成するボール受け座形成工程と、その後、ボール３を挿入し、金属製筒体２の先端の先細状のエッジ部２１を内方に円周状に折り曲げるカシメ工程と、その後、ボール３をハンマー４で後方に押圧し、ボール３を各々の内方突出部２３の前面に押し付けることにより、筆記時のカシメ部２２内面とボール３との前後方向の隙間を確保するハンマーリング工程とからなる。ハンマーリング工程の前に、予め各々の内方突出部２３の前面に仮の突起２３ａを形成し、ハンマーリング工程で、仮の突起２３ａをボール３で押し潰す。【選択図】  図７
2011088302.tif 000002
【特許請求の範囲】
【請求項１】
金属製筒体の先端近傍の内周面にボール受け座用の複数の内方突出部を形成するボール受け座形成工程と、前記ボール受け座形成工程の後、前記内方突出部の前側の金属製筒体の先端開口部にボールを挿入し、金属製筒体の先端の先細状のエッジ部を内方に円周状に折り曲げることによりカシメ部を形成するカシメ工程と、前記カシメ工程の後、ボールをハンマーで後方に押圧し、ボールを各々の内方突出部の前面に押し付けることにより、筆記時のカシメ部内面とボールとの前後方向の隙間を確保するハンマーリング工程とからなるパイプ式ボールペンチップの製造方法であって、前記ハンマーリング工程の前に、予め各々の内方突出部の前面に仮の突起を形成し、前記ハンマーリング工程で、前記仮の突起を、ハンマーにより後方に押圧されたボールで押し潰すことを特徴とするパイプ式ボールペンチップの製造方法。
【請求項２】
前記ボール受け座形成工程において、先端面に複数の凹部を備えた押圧ピンを各々の内方突出部の前面に押し当てることにより、前記各々の内方突出部の前面に仮の突起を形成する請求項１記載のパイプ式ボールペンチップの製造方法。
【発明の詳細な説明】
【技術分野】
【０００１】
本発明は、パイプ式ボールペンチップの製造方法に関する。詳細には、金属製筒体の先端近傍の内面にボール受け座用の複数の内方突出部を径方向内方への押圧変形により形成したパイプ式ボールペンチップの製造方法に関する。
【背景技術】
【０００２】
特許文献１には、カシメ工程の後、ボールをハンマーで後方に押圧することによって、ボールとカシメ部内周面との前後方向の隙間を形成するハンマーリング工程を備えたパイプ式ボールペンチップの製造方法が記載されている。
【先行技術文献】
【特許文献】
【０００３】
【特許文献１】特開２００６−１０３２８８号公報
【発明の概要】
【発明が解決しようとする課題】
【０００４】
前記特許文献１の製造方法は、ハンマーによるボールへの押圧を強くすると、筆記時のボールとカシメ部内面との前後方向の隙間は確保されるとしても、筆記時のボールと内方突出部との接触面積が大きく増加し、筆記時のボール後面へのインキ供給が不十分となり、筆跡のカスレや途切れが生じるおそれがある。
【０００５】
本発明は前記従来の問題点を解決するものであって、筆記時にボール後面への十分なインキ供給を行うことができ、筆記時、筆跡のカスレや途切れが生じることがなく、潤沢なインキ流出が可能なパイプ式ボールペンチップの製造方法を提供しようとするものである。
尚、本発明において、ボールペンチップにおける「前」とはボール側を指し、「後」とはその反対側を指す。本発明において、押圧ピンにおける「前」とは先端面を指し、「後」とはその反対側を指す。
【課題を解決するための手段】
【０００６】
＜１＞本願の第１の発明は、金属製筒体２の先端近傍の内周面にボール受け座用の複数の内方突出部２３を形成するボール受け座形成工程と、前記ボール受け座形成工程の後、前記内方突出部２３の前側の金属製筒体２の先端開口部にボール３を挿入し、金属製筒体２の先端の先細状のエッジ部２１を内方に円周状に折り曲げることによりカシメ部２２を形成するカシメ工程と、前記カシメ工程の後、ボール３をハンマー４で後方に押圧し、ボール３を各々の内方突出部２３の前面に押し付けることにより、筆記時のカシメ部２２内面とボール３との前後方向の隙間を確保するハンマーリング工程とからなるパイプ式ボールペンチップの製造方法であって、前記ハンマーリング工程の前に、予め各々の内方突出部２３の前面に仮の突起２３ａを形成し、前記ハンマーリング工程で、前記仮の突起２３ａを、ハンマー４で後方に押圧されたボール３で押し潰すことを要件とする。
【０００７】
前記第１の発明のパイプ式ボールペンチップの製造方法は、ハンマーリング工程の前に、予め各々の内方突出部２３の前面に仮の突起２３ａを形成し、ハンマーリング工程で、前記仮の突起２３ａを、ハンマー４で後方に押圧されたボール３で押し潰すことによって、ハンマー４によるボール３への押圧を強くしても、筆記時のボール３と内方突出部２３との接触面積が大きく増加することがなく、筆記時にボール３後面への十分なインキ供給を行うことができ、その結果、筆記時、筆跡のカスレや途切れが生じることがなく、潤沢なインキ流出が可能なパイプ式ボールペンチップが得られる。
【０００８】
＜２＞本願の第２の発明は、前記第１の発明のパイプ式ボールペンチップの製造方法において、前記ボール受け座形成工程において、先端面に複数の凹部５４を備えた押圧ピン５を各々の内方突出部２３の前面に押し当てることにより、前記各々の内方突出部２３の前面に仮の突起２３ａを形成することを要件とする。
【０００９】
前記第２の発明のパイプ式ボールペンチップの製造方法は、ボール受け座形成工程において、先端面に複数の凹部５４を備えた押圧ピン５を各々の内方突出部２３の前面に押し当てることにより、各々の内方突出部２３の前面に仮の突起２３ａを形成することによって、仮の突起２３ａの形成を、内方突出部２３の形成（ボール受け座の形成）と同時に形成できる。それにより、仮の突起２３ａを形成するための特別な工程を設ける必要がなく、製造工程の増加を抑えることができる。
【発明の効果】
【００１０】
本発明のパイプ式ボールペンチップの製造方法によれば、筆記時、筆跡のカスレや途切れが生じることがなく、潤沢なインキ流出が可能なパイプ式ボールペンチップが得られる。
【図面の簡単な説明】
【００１１】
【図１】本発明の実施の形態におけるボール受け座形成工程の前の状態の金属製筒体を示す要部断面図である。
【図２】本発明の実施の形態のボール受け座形成工程を示す要部縦断面図である。
【図３】図２のボール受け座形成工程で用いる押圧ピンの要部正面図である。
【図４】図３の押圧ピンの底面図である。
【図５】図２のボール受け座形成工程の後の金属製筒体を示す要部縦断面図である。
【図６】図５の金属製筒体の平面図である。
【図７】本発明の実施の形態のハンマーリング工程を示す要部縦断面図である。
【図８】図７のハンマーリング工程の後の金属製筒体を示す要部縦断面図である。
【図９】図１及び図７の製造方法により得られるボールペンチップを適用したボールペンの実施の形態を示す要部縦断面図である。
【発明を実施するための形態】
【００１２】
図１乃至図９に本発明の実施の形態を示す。図１乃至図８に本発明のパイプ式ボールペンチップの製造方法の実施の形態を示す。図９に、前記図１乃至図８の製造方法で得られたパイプ式ボールペンチップ１の適用例を示す。
【００１３】
・ボール受け座形成工程の前の状態
図１にボール受け座形成工程の前の状態の金属製筒体２を示す。
金属製筒体２の先端外周面には、円錐面が形成される。それにより、前記金属製筒体２の先端に先細状のエッジ部２１が形成される。
【００１４】
・ボール受け座形成工程
図２にボール受け座形成工程を示し、図３及び図４に、図２のボール受け座形成工程に用いる押圧ピン５を示す。図５及び図６に、ボール受け座形成工程の後の状態を示す。
【００１５】
押圧ピン５は、先端に形成された円錐面５１（先端面）と、該円錐面５１の後端より後方に連設された円柱面５２と、該円柱面５２の後端に連設された段部５３とからなる。前記押圧ピン５の先端の円錐面５１には、径方向に延びる複数（例えば４本）の溝状の凹部５４が等間隔に形成される。
【００１６】
また、内方突出部２３を形成するためのポンチ６は、先端に円錐面を備える。前記ポンチ６の円錐面の頂部はＲ曲面となっている。
【００１７】
ボール受け座形成工程において、前記ポンチ６により金属製筒体２の先端近傍（エッジ部２１後方）の側壁の複数箇所が、周状に等間隔に径方向内方に押圧変形され、それにより、金属製筒体２の先端近傍の内面に、複数（４個）の内方突出部２３が形成される。
【００１８】
前記内方突出部２３が形成される際、押圧ピン５の円錐面５１が各々の内方突出部２３の前面に圧接される。それにより、各々の内方突出部２３の前面に円錐面状の窪み部２３ｂが圧潰形成されるとともに、前記各々の窪み部２３ｂの中央に径方向に延びる突条からなる仮の突起２３ａが形成される。（図５及び図６参照）
【００１９】
前記各々の内方突出部２３の前面の円錐面状の窪み部２３ｂは、押圧ピン５の先端の円錐面５１によって形成され、前記突条よりなる仮の突起２３ａは押圧ピン５の先端の溝状の凹部５４によって形成される。
【００２０】
・カシメ工程
前記ボール受け座形成工程の後、カシメ工程が行われる（図示せず）。前記カシメ工程において、内方突出部２３の前面に金属製筒体２の先端開口部からボール３を挿入配置し、その後、先細状のエッジ部２１を円周状に内方に折り曲げることにより、内向きの環状突起よりなるカシメ部２２が形成される。前記カシメ工程において、ボール３をカシメ部２２の内周面に圧接させることにより、前記カシメ部２２の内周面にボール３と同等の曲率を有する曲面状凹部が形成される。
【００２１】
・ハンマーリング工程
図７にハンマーリング工程を示す。図８に前記ハンマーリング工程の後の状態を示す。前記カシメ工程の後、前記ハンマーリング工程が行われる。
【００２２】
前記ハンマーリング工程において、ハンマー４によりボール３を後方に叩き（ハンマー４によりボール３を後方に押圧し）、前記各々の内方突出部２３の前面の仮の突起２３ａがボール３によって押し潰される。それにより、ボール３の前後方向のクリアランス（即ち筆記時のカシメ部２２内面とボール３との前後方向の隙間）が確保される。
【００２３】
前記ボール受け座形成工程、前記カシメ工程、及び前記ハンマーリング工程により、パイプ式ボールペンチップ１が得られる。
【００２４】
・ボールペン
図９に、本実施の形態の製造方法で得られるパイプ式ボールペンチップ１を適用したボールペン７を示す。
【００２５】
本実施の形態のボールペン７は、先端部にボール３を回転可能に抱持したボールペンチップ１と、該ボールペンチップ１の後部がその前部に圧入固着されたホルダー７１と、該ホルダー７１の後部がその先端開口部に圧入固着されたインキ収容筒７２と、前記ボールペンチップ１の内部及びホルダー７１の内部に収容配置されるスプリング７３とからなる。
【００２６】
・ボールペンチップ
前記ボールペンチップのチップ本体は、直円筒状の金属製筒体２よりなる。前記金属製筒体２は、例えば、ＳＵＳ３０４、ＳＵＳ３０５、ＳＵＳ３２１等のオーステナイト系ステンレス鋼により得られる。前記チップ本体の先端近傍内面には、内方への押圧変形により、複数（例えば、４個）の内方突出部２３（即ちボール受け座）が周方向に等間隔に形成される。また、チップ本体の先端には、先細状のエッジ部２１が予め形成され、前記エッジ部２１が周状に内方に押圧変形されることにより、内向きのカシメ部２２が形成される。前記内方突出部２３の前面と前記カシメ部２２の後面との間にはボール３が回転可能に抱持される。前記内方突出部２３の相互間には、中心部から径方向外方に延び且つ軸方向に貫通するインキ流通間隙２４が形成される。
【００２７】
・スプリング
前記スプリング７３は、前部のロッド部７３ａと、後部のコイル部７３ｂが一体に連設される。前記インキ流通間隙２４に、スプリング７３のロッド部７３ａが挿通される。前記ロッド部７３ａによって、直接ボール３が前方に付勢され、それにより、ボール３がカシメ部２２の内周面に密接される。
【００２８】
・インキ収容筒
前記インキ収容筒７２は、合成樹脂（例えば、ポリプロピレン）の押出成形により得られる、両端が開口された円筒体である。前記インキ収容筒７２の内部には、インキと、該インキの消費に伴って前進する高粘度流体からなる追従体が充填される。
【００２９】
・ホルダー
前記ホルダー７１は合成樹脂（例えば、ポリプロピレン）の射出成形によって得られる筒状体である。前記ホルダー７１は、ボールペンチップ１が取り付けられる先細状の前部と、インキ収容筒７２の先端面に当接する鍔部と、インキ収容筒７２の先端開口部に圧入される後部とからなる。前記ホルダー７１の後部内面には、係止突起が形成され、前記係止突起にスプリング７３のコイル部７３ｂの後端が係止される。
【００３０】
・作用
本実施の形態のパイプ式ボールペンチップの製造方法は、ハンマーリング工程の前に、予め各々の内方突出部２３の前面に仮の突起２３ａを形成し、ハンマーリング工程で、前記仮の突起２３ａを、ハンマー４により後方に押圧されたボール３で押し潰すことによって、ハンマー４によるボール３への押圧を強くしても、筆記時のボール３と内方突出部２３との接触面積が大きく増加することがなく、筆記時にボール３後面への十分なインキ供給を行うことができ、その結果、筆記時、筆跡のカスレや途切れが生じることがなく、潤沢なインキ流出が可能なパイプ式ボールペンチップ１が得られる。
【００３１】
本実施の形態のパイプ式ボールペンチップの製造方法は、ボール受け座形成工程において、先端面に複数の凹部５４を備えた押圧ピン５を各々の内方突出部２３の前面に押し当てることにより、各々の内方突出部２３の前面に仮の突起２３ａを形成することによって、仮の突起２３ａの形成を、内方突出部２３の形成（ボール受け座の形成）と同時に形成できる。それにより、仮の突起２３ａを形成するための特別な工程を設ける必要がなく、製造工程の増加を抑えることができる。
【符号の説明】
【００３２】
１  ボールペンチップ
２  金属製筒体
２１  エッジ部
２２  カシメ部
２３  内方突出部
２３ａ  仮の突起
２３ｂ  窪み部
２４  インキ流通間隙
３  ボール
４  ハンマー
５  押圧ピン
５１  円錐面
５２  円柱面
５３  段部
５４  凹部
６  ポンチ
７  ボールペン
７１  ホルダー
７２  インキ収容筒
７３  スプリング
７３ａ  ロッド部
７３ｂ  コイル部
【図１】
2011088302.tif 000003
【図２】
2011088302.tif 000004
【図３】
2011088302.tif 000005
【図４】
2011088302.tif 000006
【図５】
2011088302.tif 000007
【図６】
2011088302.tif 000008
【図７】
2011088302.tif 000009
【図８】
2011088302.tif 000010
【図９】
2011088302.tif 000011